(57)【要約】【課題】  画像の視認性の良い小型の頭部装着型ディスプレイを実現すること。【解決手段】  画像表示素子を備える画像表示部と、ユーザの眼前に配置されるレンズと、レンズと一体化して形成され、画像表示部からの光束をユーザの瞳に導く透明基板と、透明基板内に形成され、外界光と画像表示部からの光束とを重畳するコンバイナ素子と、ユーザの瞳中心と、それと対向して置かれるコンバイナ素子の中心とを結ぶ軸と略垂直に配置され、少なくともコンバイナ素子の輪郭に対応する第１の領域を持ち、コンバイナ素子より外界側に設けられ、外界光を減光する減光部とを備える。なお、減光部は、第１の領域における光の透過率が、レンズのうち、第１の領域を除く第２の領域における光の透過率以下であっても良い。【選択図】      図１
2008046562.tif 000002
【特許請求の範囲】
【請求項１】
画像表示素子を備える画像表示部と、
ユーザの眼前に配置されるレンズと、
前記レンズと一体化して形成され、前記画像表示部からの光束を前記ユーザの瞳に導く透明基板と、
前記透明基板内に形成され、外界光と前記画像表示部からの光束とを重畳するコンバイナ素子と、
前記ユーザの瞳中心と、それと対向して置かれる前記コンバイナ素子の中心とを結ぶ軸と略垂直に配置され、少なくとも前記コンバイナ素子の輪郭に対応する第１の領域を持ち、前記コンバイナ素子より外界側に設けられ、前記外界光を減光する減光部と
を備えたことを特徴とする頭部装着型ディスプレイ。
【請求項２】
請求項１に記載の頭部装着型ディスプレイにおいて、
前記減光部は、前記レンズ内または前記レンズの表面に設けられる
ことを特徴とする頭部装着型ディスプレイ。
【請求項３】
請求項１に記載の頭部装着型ディスプレイにおいて、
前記減光部は、前記レンズとは別の部材として設けられる
ことを特徴とする頭部装着型ディスプレイ。
【請求項４】
請求項１に記載の頭部装着型ディスプレイにおいて、
前記減光部は、前記第１の領域における光の透過率が、前記レンズのうち、前記第１の領域を除く第２の領域における光の透過率以下である
ことを特徴とする頭部装着型ディスプレイ。
【請求項５】
請求項４に記載の頭部装着型ディスプレイにおいて、
前記減光部は、前記第１の領域における光の透過率と前記第２の領域における光の透過率とが漸次的に変化する
ことを特徴とする頭部装着型ディスプレイ。
【請求項６】
請求項４に記載の頭部装着型ディスプレイにおいて、
前記減光部は、前記第１の領域における光の透過率をＴ１とし、前記第２の領域における光の透過率をＴ２とすると、Ｔ１／Ｔ２≧０．２を満たす
ことを特徴とする頭部装着型ディスプレイ。
【請求項７】
請求項４に記載の頭部装着型ディスプレイにおいて、
前記減光部は、前記第１の領域に染色により形成された第１の層と、第１の層よりも外界側で、かつ、前記レンズ全体に光学薄膜により形成された第２の層とからなる
ことを特徴とする頭部装着型ディスプレイ。
【請求項８】
請求項１に記載の頭部装着型ディスプレイにおいて、
前記減光部は、染色と光学薄膜との少なくとも一方により形成される
ことを特徴とする頭部装着型ディスプレイ。
【請求項９】
請求項１に記載の頭部装着型ディスプレイにおいて、
前記レンズの前記第１の領域を除く第２の領域のうち、少なくとも前記透明基板の輪郭に対応する第３の領域を含む部分に設けられる第２の減光部を備える
ことを特徴とする頭部装着型ディスプレイ。
【請求項１０】
請求項９に記載の頭部装着型ディスプレイにおいて、
前記第２の減光部は、染色と光学薄膜との少なくとも一方により形成される
ことを特徴とする頭部装着型ディスプレイ。
【請求項１１】
請求項１に記載の頭部装着型ディスプレイにおいて、
前記レンズにおいて、前記コンバイナ素子よりユーザ側に設けられる第３の減光部を備える
ことを特徴とする頭部装着型ディスプレイ。
【請求項１２】
請求項１１に記載の頭部装着型ディスプレイにおいて、
前記第３の減光部は、前記レンズにおいて、少なくとも前記第１の領域を除く部分に設けられる
ことを特徴とする頭部装着型ディスプレイ。
【請求項１３】
請求項１１に記載の頭部装着型ディスプレイにおいて、
前記第３の減光部は、染色と光学薄膜との少なくとも一方により形成される
ことを特徴とする頭部装着型ディスプレイ。
【発明の詳細な説明】
【技術分野】
【０００１】
本発明は、画像表示部を備えユーザの頭部に装着可能な頭部装着型ディスプレイに関する。
【背景技術】
【０００２】
近年、表示素子の小型化などにより、ユーザの頭部に装着可能な頭部装着型ディスプレイなどの表示装置が考えられている。このような表示装置のうち、外界光と画像表示部からの光束とを重畳して表示する頭部装着型ディスプレイでは、画像の視認性を向上させる方法が提案されている。例えば、特許文献１の発明では、表示ユニットを保護するカバーを外界光を低減する素材で形成し、このカバーを表示ユニットに対して着脱可能にしている。
【特許文献１】特開２００１−１６６７０３号公報
【発明の開示】
【発明が解決しようとする課題】
【０００３】
しかし、特許文献１の発明では、表示ユニットに着脱可能なカバーにより、頭部装着型ディスプレイ自体が大型化、重量化するという問題がある。また、適当なタイミングでカバーを着脱するのが面倒であるという問題もある。
本発明は、画像の視認性の良い小型の頭部装着型ディスプレイを実現することを目的とする。
【課題を解決するための手段】
【０００４】
本発明の頭部装着型ディスプレイは、画像表示素子を備える画像表示部と、ユーザの眼前に配置されるレンズと、前記レンズと一体化して形成され、前記画像表示部からの光束を前記ユーザの瞳に導く透明基板と、前記透明基板内に形成され、外界光と前記画像表示部からの光束とを重畳するコンバイナ素子と、前記ユーザの瞳中心と、それと対向して置かれる前記コンバイナ素子の中心とを結ぶ軸と略垂直に配置され、少なくとも前記コンバイナ素子の輪郭に対応する第１の領域を持ち、前記コンバイナ素子より外界側に設けられ、前記外界光を減光する減光部とを備える。
【０００５】
なお、好ましくは、前記減光部は、前記レンズ内または前記レンズの表面に設けられても良い。
また、好ましくは、前記減光部は、前記レンズとは別の部材として設けられても良い。
また、好ましくは、前記減光部は、前記第１の領域における光の透過率が、前記レンズのうち、前記第１の領域を除く第２の領域における光の透過率以下であっても良い。
【０００６】
また、好ましくは、前記減光部は、前記第１の領域における光の透過率と前記第２の領域における光の透過率とが漸次的に変化しても良い。
また、好ましくは、前記減光部は、前記第１の領域における光の透過率をＴ１とし、前記第２の領域における光の透過率をＴ２とすると、Ｔ１／Ｔ２≧０．２を満たしても良い。
【０００７】
また、好ましくは、前記減光部は、前記第１の領域に染色により形成された第１の層と、第１の層よりも外界側で、かつ、前記レンズ全体に光学薄膜により形成された第２の層とからなっても良い。
また、好ましくは、前記減光部は、染色と光学薄膜との少なくとも一方により形成されても良い。
【０００８】
また、好ましくは、前記レンズの前記第１の領域を除く第２の領域のうち、少なくとも前記透明基板の輪郭に対応する第３の領域を含む部分に設けられる第２の減光部を備えても良い。
また、好ましくは、前記第２の減光部は、染色と光学薄膜との少なくとも一方により形成されても良い。
【０００９】
また、好ましくは、前記レンズにおいて、前記コンバイナ素子よりユーザ側に設けられる第３の減光部を備えても良い。
また、好ましくは、前記第３の減光部は、前記レンズにおいて、少なくとも前記第１の領域を除く部分に設けられても良い。
また、好ましくは、前記第３の減光部は、染色と光学薄膜との少なくとも一方により形成されても良い。
【発明の効果】
【００１０】
本発明によれば、画像の視認性の良い小型の頭部装着型ディスプレイを実現することができる。
【発明を実施するための最良の形態】
【００１１】
＜第１実施形態＞
以下、図面に基づいて本発明の第１実施形態について説明する。
図１Ａは、本実施形態の頭部装着型ディスプレイ１の外観図である。本実施形態の頭部装着型ディスプレイ１は、図１に示すように、眼鏡フレームと同様の構造のフレームに左レンズ１１Ｌおよび右レンズ１１Ｒを備える。左レンズ１１Ｌのレンズ部分には画像表示用の透明基板１２が埋め込まれるとともに、左レンズ１１Ｌのフレーム部分（左テンプル）に画像表示部１３が固定される。透明基板１２は、ガラスやプラスチック等の可視光に対し透明な光学材料からなる。
【００１２】
この頭部装着型ディスプレイ１がユーザの頭部に装着されると、透明基板１２は観察眼Ｅ（ユーザの左眼）の前面に配置され、画像表示部１３は、観察眼Ｅの視界を妨げない位置に配置される。
図１Ｂは、頭部装着型ディスプレイ１の左レンズ１１Ｌおよび画像表示部１３を、図１Ａの矢印ａの方向から見た内部概略図であり、図１Ｃは、頭部装着型ディスプレイ１の左レンズ１１Ｌおよび画像表示部１３を、図１Ａの矢印ｂの方向から見た図である。
【００１３】
図１Ｂに示すように、画像表示部１３内には、画像表示素子１４、拡大レンズ１５、反射ミラー１６が備えられる。また、透明基板１２には、観察眼Ｅの前に配置され、かつ画像表示素子１４からの表示光束と外界からの外界光とを重畳するコンバイナ素子１７が備えられる。
画像表示素子１４は、ＬＥＤおよび拡散板などを組み合わせた照明光学系と、透過型ＬＣＤ、反射型ＬＣＤ、有機ＥＬディスプレイなどの表示素子とからなる。コンバイナ素子１７はハーフミラー、反射型ホログラム、偏光ビームスプリッタなどで実現される。いずれの場合も、半透過性、波長選択反射透過性、偏光選択反射透過性により、画像表示素子１４からの表示光束と外界光とを重畳することができる。
【００１４】
画像表示素子１４からの表示光束は、拡大レンズ１５により拡大され、反射ミラー１６を介して透明基板１２内に入射する。透明基板１２は、この光束を伝播し、コンバイナ素子１７において外界光と重畳するとともに、観察眼Ｅに導く。ユーザは、頭部装着型ディスプレイ１を頭部に装着した状態で、コンバイナ素子１７により重畳された画像表示素子１４からの表示光束に基づく表示画像と、外界からの外界光に基づく外界像とを観察することができる。
【００１５】
このとき、外界像の輝度と表示画像の輝度とのバランスが悪い場合、表示画像の視認性が悪くなる。そこで、本実施形態の頭部装着型ディスプレイ１は、左レンズ１１Ｌにおいてコンバイナ素子１７より外界側に減光部を備える。
図２Ａは、頭部装着型ディスプレイ１の左レンズ１１Ｌおよび画像表示部１３を、図１Ａの矢印ａの方向から見た内部概略図である。また、図２Ｂは、頭部装着型ディスプレイ１の左レンズ１１Ｌおよび画像表示部１３を、図２Ａの矢印ｂ１のように見た表面図であり、図２Ｃは、頭部装着型ディスプレイ１の左レンズ１１Ｌおよび画像表示部１３を、図２Ａの矢印ｂ２のように見た内部概略図である。
【００１６】
図２Ａおよび図２Ｂに示すように、頭部装着型ディスプレイ１は、左レンズ１１Ｌの外界側表面に、コンバイナ素子１７を左レンズ１１Ｌ表面に投影して得られる領域（以下、「コンバイナ素子１７に対応する領域」と略称する）を含む全ての部分の外界光を減光する減光部２０を備える。減光部２０は、染色および光学薄膜により形成される。あるいは、減光部２０は、減光機能や偏光機能を持つフィルムなどにより形成されても良い。光学薄膜としては、誘電体多層膜または金属膜（例えば、アルミ膜など）が挙げられる。なお、染色および光学薄膜を組み合わせて減光部２０を形成しても良い。また、コンバイナ素子１７より外界側であれば、左レンズ１１Ｌ内に減光部２０を備えても良い。減光部２０を、左レンズ１１Ｌ内のコンバイナ素子１７より外界側または左レンズ１１Ｌの表面に設けることにより、頭部装着型ディスプレイ１を効率よく小型化することができる。また、減光部２０を左レンズ１１Ｌと一体化することにより強度の向上を図ることができる。
【００１７】
さらに、図３Ａに示すように、左レンズ１１Ｌとは別の部材として減光部２１を備え、接続部材２１ａおよび２１ｂにより、左レンズ１１Ｌの外界側に減光部２１を固定する構成としても良い。また、左レンズ１１Ｌとは別の部材として減光部２１を備え、左レンズ１１Ｌの外界側表面に接着する構成としても良い。減光部２１を、左レンズ１１Ｌの外界側に、左レンズ１１Ｌとは別の部材として設けることにより、減光部２１の製造のコスト低減が期待できる。
【００１８】
上述した減光部２０および減光部２１により、外界像の輝度を低下させることができるので、結果として表示画像の視認性を向上させることができる。
以上説明したように、第１実施形態によれば、画像表示素子を備える画像表示部と、ユーザの眼前に配置されるレンズと、レンズと一体化して形成され、画像表示部からの光束をユーザの眼に導く透明基板と、透明基板内に形成され、外界光と画像表示部からの光束とを重畳するコンバイナ素子と、ユーザの瞳中心と、それと対向して置かれるコンバイナ素子の中心とを結ぶ軸と略垂直に配置され、少なくともコンバイナ素子の輪郭に対応する第１の領域を持ち、コンバイナ素子より外界側に設けられ、外界光を減光する減光部とを備える。したがって、画像の視認性の良い小型の頭部装着型ディスプレイを実現することができる。特に、頭部装着型ディスプレイに着脱可能な減光部材を備える場合に比べて、小型、軽量かつ簡単な構成の頭部装着型ディスプレイを実現することができる。また、従来のように頭部装着型ディスプレイに着脱可能な減光部材を紛失したり破損するという問題も回避することができる。
【００１９】
また、頭部装着型ディスプレイ内に液晶シャッタなどを内蔵して、外界光を低減する場合と比較して、頭部装着型ディスプレイを小型化、軽量化、低コスト化することができる。また、液晶シャッタのように電力を消費することなく画像の視認性の良い小型の頭部装着型ディスプレイを実現することができる。
＜第２実施形態＞
以下、図面に基づいて本発明の第２実施形態について説明する。
【００２０】
第２実施形態では、第１実施形態の頭部装着型ディスプレイ１と略同様の外観を備えた頭部装着型ディスプレイを例に挙げて説明する。以下では、第２実施形態の頭部装着型ディスプレイの基本部分の図示および説明を省略し、第１実施形態と同様の符号を用いて説明する。また、第２実施形態では、第１実施形態と異なる部分についてのみ説明する。
図４Ａは、第１実施形態の図２Ａと同様の内部概略図である。また、図４Ｂは、第１実施形態の図２Ｂと同様の表面図であり、図４Ｃは、第１実施形態の図２Ｃと同様の内部概略図である。
【００２１】
図４Ａおよび図４Ｂに示すように、第２実施形態の頭部装着型ディスプレイ１は、第１実施形態と同様に、左レンズ１１Ｌの外界側表面に減光部２０を備えるとともに、左レンズ１１Ｌのコンバイナ素子１７に対応する領域に、減光部２２を備える。減光部２２は、図４Ａに示すように、減光部２０とコンバイナ素子１７との間に設けられる。
なお、減光部２２は、減光部２０とコンバイナ素子１７との間であれば、左レンズ１１Ｌ内に設けられても良いし、左レンズ１１Ｌの表面に設けられても良いし、左レンズ１１Ｌとは別の部材として設けられても良い。
【００２２】
また、減光部２２は、染色および光学薄膜により形成される。あるいは、減光部２０は、減光機能や偏光機能を持つフィルムなどにより形成されても良い。光学薄膜としては、誘電体多層膜または金属膜（例えば、アルミ膜など）が挙げられる。なお、染色および光学薄膜を組み合わせて減光部２０および減光部２２を形成しても良い。
例えば、減光部２２を染色により形成し、減光部２０を光学薄膜により反射膜として形成すると、頭部装着型ディスプレイ１を使用中のユーザを外部から見た場合に、左レンズ１１Ｌ全体がマジックミラーのように光り、略全体が均一な色あいに見える。したがって、左レンズ１１Ｌの一部（減光部２２）のみが暗く見えることが無いので、外部の人間に違和感を感じさせない。コンバイナが偏光ビームスプリッタで構成される場合、減光部２０に直線偏光素子を配置させることにより、減光部２２を特別に設けなくても同様の減光作用を持たせることができる。直線偏光素子の方位と偏光ビームスプリッタの方位との相対的回転角を設定することにより、後述するＴ１／Ｔ２を設定することができる。
【００２３】
次に、減光部２０および減光部２２の光の透過率（以下、単に「透過率」と称する。）について説明する。一般に、外界像の輝度が高く、表示画像の輝度との差が大きすぎる場合には、表示画像が暗くなり、視認性が悪くなる。逆に、外界像の輝度と表示画像の輝度との差が小さすぎる場合には、外界像と表示画像との対比が無く、この場合にも視認性が悪くなる。したがって、減光部２０および減光部２２の透過率には最適な関係がある。
【００２４】
左レンズ１１Ｌのうち、コンバイナ素子１７に対応する領域（第１の領域）における透過率最小値をＴ１とし、コンバイナ素子１７に対応する領域を除く領域（第２の領域）における透過率最大値をＴ２とする。Ｔ１は、左レンズ１１Ｌにおいて、減光部２０と減光部２２との双方により減光される際の透過率を示し、表示画像部分の透過率に相当する。また、Ｔ２は、左レンズ１１Ｌにおいて、減光部２０のみにより減光される際の透過率を示し、外界像部分の透過率に相当する。
【００２５】
Ｔ１およびＴ２の変化に応じた像の見やすさを図５Ａに示す。図５Ａの横軸は、Ｔ１／Ｔ２である。また、図５Ａの縦軸は、外界像および表示画像の見やすさを官能検査し、０（最も見にくい場合）〜１（最も見やすい場合）の評価値で示したものである。図５Ａにおいて、外界像の見やすさに関する変化を点線で示し、表示画像の見やすさに関する変化を実線で示す。なお、図５Ａにおいて、Ｔ１≦Ｔ２、かつ、０＜Ｔ１／Ｔ２≦１である。
【００２６】
図５Ａに示すように、Ｔ１／Ｔ２が小さすぎる場合、すなわち表示画像部分と外界像部分との透過率の差が大きすぎる場合には、外界像の視認性が著しく低下する。そこで、外界像と表示画像との双方の視認性を確保するためには、Ｔ１／Ｔ２≧０．２の関係を満たすのが望ましい。
例えば、室内など外界光があまり強くない環境下の使用においては、Ｔ１／Ｔ２＝０．５程度とし、外界像部分の透過率をＴ２＝５０％とした場合には、表示画像部分の透過率は、Ｔ１＝２５％とするのが望ましい。また、例えば、屋外など外界光が強い環境下の使用においては、Ｔ１／Ｔ２＝０．２５程度とし、外界像部分の透過率をＴ２＝５％とした場合には、表示画像部分の透過率は、Ｔ１＝約１％とするのが望ましい。
【００２７】
また、図４で示したように、表示画像部分と外界像部分とで透過率が異なる場合、左レンズ１１Ｌの一部（減光部２２）の部分のみが暗く見えて、外部の人間に違和感を感じさせる場合がある。また、表示画像部分と外界像部分との境界において急激に透過率が変化すると、ユーザによる観察時に境界部のボケ像が発生し、ユーザに違和感を感じさせる場合がある。
【００２８】
そこで、表示画像部分における透過率と外界像部分における透過率とが漸次的に変化するのが望ましい。例えば、図５Ｂに示すように、左レンズ１１Ｌの中心から外周に向かって漸次的に変化させても良いし、図５Ｃに示すように、一方向において漸次的に変化させても良いし、図５Ｄに示すように、二方向において漸次的に変化させても良い。また、図５Ｂに示すように、左レンズ１１Ｌの全体において変化させても良いし、図５Ｃおよび図５Ｄに示すように、左レンズ１１Ｌの特定の部分において変化させても良い。なお、この変化は段階的なものでなく、滑らかな変化であることが望ましい。
【００２９】
上述した減光部２０および減光部２２により、表示画像に対する外界像の相対的な輝度を低下させることができるので、結果として表示画像の視認性を向上させることができる。
以上説明したように、第２実施形態によれば、減光部は、第１の領域における光の透過率が、第１の領域を除く第２の領域における光の透過率以下である。したがって、外界像に対する表示画像の相対的な輝度を低下させることにより、表示画像の視認性を向上させることができる。
【００３０】
また、第２実施形態によれば、減光部は、第１の領域における光の透過率と第２の領域における光の透過率とが漸次的に変化する。したがって、レンズの一部分のみが暗く見えることが無いので、外部の人間に違和感を感じさせない。また、第１の領域と第２の領域との境界において急激に透過率が変化すると、ユーザによる観察時に境界部のボケ像が発生する場合がある。しかし、本実施形態によれば、第１の領域と第２の領域との間で透過率が漸次的に変化するので、このような問題を回避することができる。
【００３１】
また、第２実施形態によれば、減光部は、第１の領域における光の透過率をＴ１とし、第２の領域における光の透過率をＴ２とすると、Ｔ１／Ｔ２≧０．２を満たす。したがって、外界像と表示画像との対比を最適な関係にすることができる。
また、第２実施形態によれば、減光部は、第１の領域に染色により形成された第１の層と、第１の層よりも外界側で、かつ、レンズ全体に光学薄膜により形成された第２の層とからなる。したがって、レンズの一部分のみが暗く見えることが無いので、外部の人間に違和感を感じさせない。
【００３２】
なお、本実施形態では、減光部２０および減光部２２の２層により減光する例を示したが、減光部２０および減光部２２と同様の機能を１層の減光部により実現しても良い。この場合、１層の減光部において、局部的に透過率を変化させれば良い。このとき、本実施形態で説明したように、透過率を漸次的に変化させると良い。
＜第３実施形態＞
以下、図面に基づいて本発明の第３実施形態について説明する。第３実施形態は、第２実施形態の変形例である。以下では、第２実施形態と同様の符号を用いて、第２実施形態と異なる部分についてのみ説明する。
【００３３】
図６Ａは、第２実施形態の図４Ａと同様の内部概略図である。また、図６Ｂは、第２実施形態の図４Ｂと同様の表面図であり、図６Ｃは、第２実施形態の図４Ｃと同様の内部概略図である。
図６Ａおよび図６Ｂに示すように、第３実施形態の頭部装着型ディスプレイ１は、第２実施形態の減光部２２に代えて、コンバイナ素子１７を含む透明基板１２に対応する領域に、その部分の外界光を減光する減光部２３を備える。減光部２３は、図６Ａに示すように、減光部２０とコンバイナ素子１７との間に設けられる。
【００３４】
なお、減光部２３は、減光部２０とコンバイナ素子１７との間であれば、左レンズ１１Ｌ内に設けられても良いし、左レンズ１１Ｌの表面に設けられても良いし、左レンズ１１Ｌとは別の部材として設けられても良い。
また、減光部２３は、染色および光学薄膜により形成される。あるいは、減光部２０は、減光機能や偏光機能を持つフィルムなどにより形成されても良い。光学薄膜としては、誘電体多層膜または金属膜（例えば、アルミ膜など）が挙げられる。なお、染色および光学薄膜を組み合わせて減光部２３を形成しても良い。
【００３５】
減光部２３は、第２実施形態の減光部２２の機能に加えて、透明基板１２に混入する外界光を減光する。したがって、透明基板１２に混入した外界光により発生する迷光を抑制することができる。
なお、減光部２０に対応する部分の透過率と減光部２３に対応する部分の透過率とは、第２実施形態と同様に、漸次的に変化するのが望ましい。また、減光部２３の透過率は、その他の部分の透過率と最適な関係になるように設定すれば良い。
【００３６】
以上説明したように、第３実施形態によれば、レンズの第１の領域を除く第２の領域のうち、少なくとも透明基板の輪郭に対応する第３の領域を含む部分に第２の減光部を備える。したがって、第２実施形態の効果に加えて、レンズ内の透明基板に外界光が混入し、迷光が発生することを抑制することができる。
＜第４実施形態＞
以下、図面に基づいて本発明の第４実施形態について説明する。第４実施形態は、第３実施形態の変形例である。以下では、第３実施形態と同様の符号を用いて、第３実施形態と異なる部分についてのみ説明する。
【００３７】
図７Ａは、第３実施形態の図６Ａと同様の内部概略図である。また、図７Ｂは、第３実施形態の図６Ｂと同様の表面図であり、図７Ｃは、第３実施形態の図６Ｃと同様の内部概略図である。
図７Ａから図７Ｃに示すように、第４実施形態の頭部装着型ディスプレイ１は、第３実施形態の減光部２０および減光部２３に加えて、透明基板１２に対応する領域のうち、コンバイナ素子１７に対応する部分除く領域に、減光部２４を備える。減光部２４は、図７Ａに示すように、コンバイナ素子１７よりもユーザ側に設けられる。
【００３８】
なお、減光部２４は、コンバイナ素子１７よりもユーザ側であれば、左レンズ１１Ｌ内に設けられても良いし、左レンズ１１Ｌの表面に設けられても良いし、左レンズ１１Ｌとは別の部材として設けられても良い。
また、減光部２４は、染色および光学薄膜により形成される。あるいは、減光部２０は、減光機能や偏光機能を持つフィルムなどにより形成されても良い。光学薄膜としては、誘電体多層膜または金属膜（例えば、アルミ膜など）が挙げられる。なお、染色および光学薄膜を組み合わせて減光部２４を形成しても良い。
【００３９】
減光部２４は、ユーザ側から透明基板１２に混入する光を減光する。したがって、透明基板１２に混入した光により発生する迷光を抑制することができる。
なお、減光部２４に対応する部分の透過率は、その他の部分の透過率と最適な関係になるように設定すれば良い。
以上説明したように、第４実施形態によれば、レンズにおいて、コンバイナ素子よりユーザ側に設けられる第３の減光部を備える。したがって、第３実施形態の効果に加えて、レンズ内の透明基板にユーザ側から光が混入し、迷光が発生することを抑制することができる。
【００４０】
また、第４実施形態によれば、第３の減光部は、レンズにおいて、少なくとも第１の領域を除く部分に設けられる。したがって、表示画像の視認性を確保しつつ、レンズ内の透明基板にユーザ側から光が混入し、迷光が発生することを抑制することができる。
なお、第４実施形態では、透明基板１２に対応する部分について、外界側とユーザ側との両方に減光部を備える例を示したが、ユーザ側のみに減光部を備える構成としても良い。
【００４１】
＜第５実施形態＞
以下、図面に基づいて本発明の第５実施形態について説明する。第５実施形態は、第４実施形態の変形例である。以下では、第４実施形態と同様の符号を用いて、第４実施形態と異なる部分についてのみ説明する。
図８Ａは、第４実施形態の図７Ａと同様の内部概略図である。また、図８Ｂは、第４実施形態の図７Ｂと同様の表面図であり、図８Ｃは、第４実施形態の図７Ｃと同様の内部概略図である。
【００４２】
図８Ａから図８Ｃに示すように、第５実施形態の頭部装着型ディスプレイ１は、第４実施形態の減光部２４に代えて、コンバイナ素子１７に対応する部分を除く全ての領域に、減光部２５を備える。減光部２５は、図８Ａに示すように、コンバイナ素子１７よりもユーザ側に設けられる。
なお、減光部２５は、コンバイナ素子１７よりもユーザ側であれば、左レンズ１１Ｌ内に設けられても良いし、左レンズ１１Ｌの表面に設けられても良いし、左レンズ１１Ｌとは別の部材として設けられても良い。
【００４３】
また、減光部２５は、染色および光学薄膜により形成される。あるいは、減光部２０は、減光機能や偏光機能を持つフィルムなどにより形成されても良い。光学薄膜としては、誘電体多層膜または金属膜（例えば、アルミ膜など）が挙げられる。なお、染色および光学薄膜を組み合わせて減光部２５を形成しても良い。
減光部２５は、第４実施形態の減光部２４の機能に加えて、ユーザ側から左レンズ１１Ｌ内に混入する光を減光する。したがって、左レンズ１１Ｌ内に混入した光により発生する迷光を抑制することができる。
【００４４】
なお、減光部２５に対応する部分の透過率は、その他の部分の透過率と最適な関係になるように設定すれば良い。
以上説明したように、第５実施形態によれば、レンズにおいて、コンバイナ素子よりユーザ側に設けられる第３の減光部を備える。したがって、第４実施形態の効果に加えて、レンズ内にユーザ側から光が混入し、迷光が発生することを抑制することができる。
【００４５】
また、第５実施形態によれば、第３の減光部は、レンズにおいて、少なくとも第１の領域を除く部分に設けられる。したがって、表示画像の視認性を確保しつつ、レンズ内にユーザ側から光が混入し、迷光が発生することを抑制することができる。
なお、上記した第１実施形態から第５実施形態において、減光部（減光部２０〜２５）は、光の吸収により減光を実現しても良いし、光の反射により減光を実現しても良い。
【００４６】
また、上記した第１実施形態から第５実施形態では、減光部（減光部２０〜２５）は、染色と光学薄膜との少なくとも一方により形成される例を示したが、本発明はこの例に限定されない。例えば、フォトクロミック素材などの調光機能を備えた素材により減光部を形成しても良い。調光機能を備えた素材は、コンバイナ素子の外界側に設ける減光部にも使用可能であるし、コンバイナ素子よりもユーザ側に設ける減光部にも使用可能である。なお、例えば、第２実施形態で説明した減光部２０および減光部２２を調光機能を備えた素材により形成する場合は、減光部２０（左レンズ１１Ｌ全体）には調光による透過率の変化が小さい素材を使用し、減光部２２（コンバイナ素子１７に対応する部分）には調光による透過率の変化が大きい素材を使用すると良い。さらに、染色および光学薄膜と調光機能を備えた素材とを組み合わせて減光部を形成しても良い。例えば、第２実施形態で説明した減光部２０（左レンズ１１Ｌ全体）を染色と光学薄膜との少なくとも一方により形成し、減光部２２（コンバイナ素子１７に対応する部分）を調光機能を備えた素材により形成することにより、第２実施形態と同様の効果を得ることができる。
【００４７】
また、上記した第１実施形態から第５実施形態では、右レンズ１１Ｒについては、特に説明しなかったが、右レンズ１１Ｒにも左レンズ１１Ｌと同様に減光部を備える構成としても良い。
また、上記した第１実施形態から第５実施形態では、左レンズ１１Ｌにのみ画像表示部１３を備える頭部装着型ディスプレイ１を例に挙げて説明したが、両側に画像表示部を備え、ユーザの両眼に画像を表示可能な頭部装着型ディスプレイにも本発明を同様に適用することができる。
【００４８】
また、上記した第１実施形態から第５実施形態で説明した技術を、組み合わせて実現しても良い。
また、上記した第１実施形態から第５実施形態では、頭部装着型ディスプレイの一例として、眼鏡型のディスプレイを用いて説明を行ったが、頭部装着型ディスプレイの構成はこの構成例に限定されない。
【図面の簡単な説明】
【００４９】
【図１】本発明の第１実施形態について説明する図である。
【図２】本発明の第１実施形態について説明する別の図である。
【図３】本発明の第１実施形態の変形例について説明する図である。
【図４】本発明の第２実施形態について説明する図である。
【図５】本発明の第２実施形態について説明する別の図である。
【図６】本発明の第３実施形態について説明する図である。
【図７】本発明の第４実施形態について説明する図である。
【図８】本発明の第５実施形態について説明する図である。
【符号の説明】
【００５０】
１…頭部装着型ディスプレイ，１１Ｌ…左レンズ，１２…透明基板，１３…画像表示部，１４…画像表示素子，１７…コンバイナ素子，２０〜２５…減光部
【図１】
2008046562.tif 000003
【図２】
2008046562.tif 000004
【図３】
2008046562.tif 000005
【図４】
2008046562.tif 000006
【図５】
2008046562.tif 000007
【図６】
2008046562.tif 000008
【図７】
2008046562.tif 000009
【図８】
2008046562.tif 000010